(57)【特許請求の範囲】
【請求項１】
火災感知器を固定する感知器固定具を有する感知器固定部と、天井面に設けられる感知器ベースに対し固定されるベース固定具を有するベース固定部と、を備えたアダプタ部を有する取付アダプタであって、
前記感知器ベースに対して当接する位置決め面と、該位置決め面の外周端部から前記天井面側に向かって伸び、前記感知器ベースに対する固定方向に対し傾斜する傾斜面部とを有し、該傾斜面部は周方向に沿って設けられ、
前記傾斜面部は、前記位置決め面側から天井面側に向かって広がる方向に傾斜することを特徴とする取付アダプタ。
【請求項２】
前記傾斜面部は前記感知器ベースの周面を外周側から略覆うことを特徴とする請求項１記載の取付アダプタ。
【請求項３】
前記傾斜面部は切欠部を有し、該切欠部の一方の端面は、前記感知器ベースに対する周方向の取付位置に配置した状態で、前記感知器ベースに付された位置決めマーカーに対応した位置に配置されることを特徴とする請求項２記載の取付アダプタ。
【請求項４】
前記傾斜面部は前記切欠部と周方向反対側に第二切欠部を有することを特徴とする請求項３記載の取付アダプタ。
【発明の詳細な説明】
【技術分野】
【０００１】
本発明は、建物の天井面に設けられる感知器ベースに対して火災感知器を取付けるための取付アダプタに関し、特に火災感知器と一体化した状態で感知器ベースに対して位置決めが容易な取付アダプタに関する。
【背景技術】
【０００２】
火災感知器は、建物の天井面に設けられ、熱や煙あるいは火炎を検出することで、火災の発生を感知するものである。この火災感知器を機械的及び電気的に接続するため、天井面には感知器ベースが設けられる。感知器ベースは、略円筒状の周面部を備えており、上面側が天井面に対して固定され、下面側には火災感知器を固定することができるように嵌合受け具が設けられている。一方、火災感知器の上面には、感知器ベースの嵌合受け具に対して回転嵌合される固定具が設けられている。
【０００３】
火災感知器を感知器ベースに取付ける際には、火災感知器を感知器ベースに対して径方向及び周方向にそれぞれ位置決めし、火災感知器の位置決め面を感知器ベースに対して当接させ、その状態から火災感知器を周方向に回転させることにより、火災感知器の固定具が感知器ベースの嵌合受け具に対して嵌合係止され、火災感知器が感知器ベースに固定される。このような火災感知器及び感知器ベースとしては、例えば特許文献１に挙げるようなものがある。
【先行技術文献】
【特許文献】
【０００４】
【特許文献１】特開２００１−１３４８６０号公報
【発明の概要】
【発明が解決しようとする課題】
【０００５】
火災感知器の固定具と感知器ベースの嵌合受け具は、互いに対応したものである必要があるが、型式等が異なる火災感知器を感知器ベースに取付ける場合もあり、この場合には火災感知器の固定具が感知器ベースの嵌合受け具に対応しないことがある。感知器ベースは建物の天井面に固定されているため、これを取替えるには手間が必要であるし、交換のためにはコストもかかる。そこで、火災感知器と感知器ベースとの間に取付アダプタを設けることが考えられる。
【０００６】
取付アダプタは、一方側には取付けられる火災感知器に対応した嵌合受け具を有し、他方側には感知器ベースに対応した固定具を有するものである。火災感知器を取付ける際には、火災感知器を予め取付アダプタに対して取付けておき、火災感知器と取付アダプタとを一体化したものを感知器ベースに対して取付ける。
【０００７】
しかし、感知器ベースは建物の天井面にあり、高所に存在するから、火災感知器の取付作業の際には、長い棒を有する専用の治具を用いるため、設置に時間を要し、作業者の労力及び負荷が大きくなる。それに加えて、設置後に火災感知器が正常に取付られたことを確認するのも容易ではないという問題があった。また、感知器ベースから離れた位置から火災感知器及び取付アダプタを見て位置決めを行う必要があり、かつ、火災感知器と取付アダプタとを一体化したものは、火災感知器単体よりも高さが大きく、さらに重量も大きくなる。そのため、感知器ベースに対する位置決めが難しいという問題があった。
【０００８】
本発明は前記課題を鑑みてなされたものであり、火災感知器と一体化した状態で感知器ベースに対し容易に位置決めすることのできる取付アダプタを提供することを目的とする。
【課題を解決するための手段】
【０００９】
前記課題を解決するため、請求項１の発明に係る取付アダプタは、火災感知器を固定する感知器固定具を有する感知器固定部と、天井面に設けられる感知器ベースに対し固定されるベース固定具を有するベース固定部と、を備えたアダプタ部を有する取付アダプタであって、
前記感知器ベースに対して当接する位置決め面と、該位置決め面の外周端部から前記天井面側に向かって伸び、前記感知器ベースに対する固定方向に対し傾斜する傾斜面部とを有し、該傾斜面部は周方向に沿って設けられ、
前記傾斜面部は、前記位置決め面側から天井面側に向かって広がる方向に傾斜することを特徴として構成されている。
【００１０】
請求項１に係る発明によれば、火災感知器と取付アダプタとを一体化して感知器ベースに取付ける際、傾斜面部が感知器ベースに対して当接し、位置決め面を所定の径方向位置に向かってガイドすることができる。また、傾斜面部の上端部で囲まれた領域内に感知器ベースが配置されるように大まかな位置決めをするだけで、取付アダプタを持ち上げるのに伴い位置決め面が傾斜面部によって所定位置にガイドされる。
【００１３】
さらに、請求項３の発明に係る取付アダプタは、前記傾斜面部は前記感知器ベースの周面を外周側から略覆うことを特徴として構成されている。
【００１４】
請求項３に係る発明によれば、感知器ベースの周面部を隠して意匠性を良好にすることができる。
【００１５】
さらにまた、請求項４の発明に係る取付アダプタは、前記傾斜面部は切欠部を有し、該切欠部の一方の端面は、前記感知器ベースに対する周方向の取付位置に配置した状態で、前記感知器ベースに付された位置決めマーカーに対応した位置に配置されることを特徴として構成されている。
【００１６】
請求項４に係る発明によれば、傾斜面部の切欠部によって取付アダプタの周方向位置決めをなすことができ、特に高所での取付において位置決めを容易にすることができる。
【００１７】
そして、請求項５の発明に係る取付アダプタは、前記傾斜面部は前記切欠部と周方向反対側に第二切欠部を有することを特徴として構成されている。
【００１８】
請求項５に係る発明によれば、取付アダプタの感知器ベースに対する嵌合が確実になされているか否かを、切欠部及び第二切欠部から視認することができる。
【発明の効果】
【００１９】
本発明に係る取付アダプタによれば、火災感知器と取付アダプタとを一体化して感知器ベースに取付ける際の径方向位置決め作業を容易にすることができる。これにより、火災感知器の設置作業にかかる時間を短縮し、作業者の労力、負荷の軽減を図ることができる。また、切欠部及び第二切欠部によって火災感知器設置後の確認作業も容易化することができる。
【図面の簡単な説明】
【００２０】
【図１】本実施形態における火災感知器と感知器ベース及び取付アダプタの分解斜視図である。
【図２】火災感知器と取付アダプタとが感知器ベースに対して固定された状態の斜視図である。
【図３】取付アダプタの平面図である。
【図４】取付アダプタの底面図である。
【図５】火災感知器と取付アダプタとが感知器ベースに対して固定された状態の縦断面図である。
【図６】火災感知器と取付アダプタとを一体化したものと感知器ベースとの分解断面図である。
【図７】取付アダプタ及び火災感知器と感知器ベースとの固定前状態における部分斜視図である。
【図８】取付アダプタ及び火災感知器と感知器ベースとの固定状態における部分斜視図である。
【図９】変形例にかかる傾斜面部を有した取付アダプタと感知器ベースとの分解断面図である。
【発明を実施するための形態】
【００２１】
本発明の実施形態について、図面に沿って詳細に説明する。本実施形態では、建物の天井面側を上側、床面側を下側とそれぞれ称する。図１には、本実施形態における火災感知器１と感知器ベース２及び取付アダプタ３の分解斜視図を示している。感知器ベース２は、建物の天井面に対して固定されているものであり、この感知器ベース２に対して火災感知器１を取付ける際に、取付アダプタ３が用いられる。
【００２２】
火災感知器１は、扁平円柱状の基部１０と、基部１０よりも径の小さい感知部１１とを有して構成されている。基部１０には、火災感知器１を取付アダプタ３に対して固定する際における周方向の位置決めを行うために、線状に隆起した位置決めマーカー１０ａが形成されている。
【００２３】
感知部１１には、火災の発生を感知するためのセンサー（図示しない）が設けられている。このセンサーは、熱を検出するもの、煙を検出するもの、火炎を検出するもののいずれか１つまたは２つ以上を有している。また、火災感知器１の感知部１１とは反対側の面が、取付アダプタ３に対する取付面である。
【００２４】
感知器ベース２は、円筒状の周面部２０と、建物の天井面に対して取付けられる天面部２１とを有している。周面部２０には、取付アダプタ３を感知器ベース２に対して固定する際に周方向の位置決めを行うための位置決めマーカー２０ｂが形成されている。
【００２５】
周面部２０の下端部からは、さらに垂下部２０ａが垂設されている。垂下部２０ａは、周方向の２箇所に、それぞれ所定の周方向長さを有するように形成されている。また、天面部２１の下面側には、取付アダプタ３を固定するための嵌合受け具２２が設けられている。
【００２６】
取付アダプタ３は、略円柱状の周面部３０と、周面部３０がなす円柱の下面壁を構成するアダプタ部３１と、周面部３０の上端部から斜め上方に伸びる傾斜面部３２とを有している。周面部３０には、取付アダプタ３の位置決めマーカー２０ｂに対応する位置決めマーカー３０ａが形成されている。
【００２７】
取付アダプタ３のアダプタ部３１は、下面側に火災感知器１を固定するための感知器固定部４０を有している。感知器固定部４０は、火災感知器１が有する固定具に対応した嵌合受け具４２を有しており、火災感知器１を回転嵌合させることができる。また、アダプタ部３１には、火災感知器１が嵌合されることで、火災感知器１に対し係止される係止部４３ａを備えた係止つまみ４３が設けられている。
【００２８】
図２には、火災感知器１と取付アダプタ３とが感知器ベース２に対して固定された状態の斜視図を示している。この図に示すように、火災感知器１と取付アダプタ３は略同径であり、また、取付アダプタ３と感知器ベース２も、略同径である。そのため、これら３つが一体化されることにより、それぞれの周面は略面一状となる。また、これら３つが一体化された状態において、火災感知器１の位置決めマーカー１０ａと感知器ベース２の位置決めマーカー２０ｂ及び取付アダプタ３の位置決めマーカー３０ａは、一直線状に並んでいる。
【００２９】
取付アダプタ３の傾斜面部３２は、取付アダプタ３の感知器ベース２への取付方向に対し４５度の角度をなすように傾斜している。この傾斜方向は、周面部３０の上端部から天井面側に向かって広がる方向であり、傾斜面部３２に形成される切欠部３３及び第二切欠部３４以外の領域において、感知器ベース２の周面を外周側から覆っている。これにより、感知器ベース２の露出部分がほぼ覆われるので、意匠性を良好にすることができる。
【００３０】
図３には取付アダプタ３の平面図（上側から見た図）を、図４には取付アダプタ３の底面図（下側から見た図）を、それぞれ示している。取付アダプタ３の下面側に形成される感知器固定部４０には、前述のように、これに取付けられる火災感知器１に対応した嵌合受け具４２が設けられる。
【００３１】
アダプタ部３１は、感知器固定部４０と反対側である上面側に、感知器ベース２に対して固定されるベース固定部４１を有している。ベース固定部４１には、感知器ベース２の嵌合受け具２２に対して嵌合される２つのベース固定具４４が設けられている。２つのベース固定具４４は、ベース固定部４１の周方向において互いに１８０度の角度をなすように配置されている。
【００３２】
図５には、火災感知器１と取付アダプタ３とが感知器ベース２に対して固定された状態の縦断面図を示している。この図に示すように、火災感知器１は、上側を向く面に略Ｌ字状の感知器固定具１２を有し、この感知器固定具１２が取付アダプタ３の下面となる感知器固定部４０に設けられた嵌合受け具４２に対して嵌合されている。また、取付アダプタ３のベース固定部４１に設けられたベース固定具４４が、感知器ベース２に設けられた嵌合受け具２２に対して嵌合されている。
【００３３】
取付アダプタ３の周面部３０の上端面は、感知器ベース２に対して当接する位置決め面３０ｂとなっている。感知器ベース２の周面部２０には、段部２０ｃが形成されており、この段部２０ｃに取付アダプタ３の位置決め面３０ｂが当接することで、感知器ベース２に対する取付アダプタ３の径方向及び上下方向における位置決めがなされる。
【００３４】
取付アダプタ３の傾斜面部３２は、前述のように、周方向に沿って位置決め面３０ｂの外周側から天井面側である上方に向かって広がる方向に傾斜するように形成されている。図６には、火災感知器１と取付アダプタ３とを一体化したものと感知器ベース２との分解断面図を示している。
【００３５】
火災感知器１と取付アダプタ３とを一体化したものを感知器ベース２に取付ける作業では、予め火災感知器１と取付アダプタ３とを一体化しておき、これを長い棒を有する専用の治具（図示しない）に納め、この治具によって天井面に設置された感知器ベース２に対し火災感知器１及び取付アダプタ３を下方から近づける。このとき、感知器ベース２は高所にある天井面に配置されているので、足場等を組むことなく火災感知器１の取付作業を行う場合には、感知器ベース２から離れた位置からの位置決めが必要となる。この位置決めは、径方向と周方向の両方について行う必要があるが、ここでは径方向の位置決めについてのみ説明する。周方向の位置決めについては後述する。
【００３６】
径方向の位置決めを行うとき、まず傾斜面部３２の上端部によって囲まれる領域内に感知器ベース２が納まるように大まかな位置決めを行い、それからさらに取付アダプタ３を上方に持ち上げることにより、図６に示すように傾斜面部３２が感知器ベース２の下端部に当接する。傾斜面部３２は位置決め面３０ｂに隣接した位置から斜め上方に伸びるように形成されているので、取付アダプタ３を上方に持ち上げるのに伴って、取付アダプタ３の位置決め面３０ｂは、感知器ベース２の下端部に摺接しながら段部２０ｃに向かっていく（図中Ｌ１の方向に向かって移動する）。これによって、取付アダプタ３は所定の径方向位置に向かってガイドされる。最終的に取付アダプタ３の位置決め面３０ｂが感知器ベース２の段部２０ｃに当接し、取付アダプタ３が所定の径方向位置に位置決めされる。
【００３７】
このように、取付アダプタ３に位置決め面３０ｂから斜め上方に伸びる傾斜面部３２を設けたことにより、火災感知器１と一体化した取付アダプタ３を感知器ベース２に取付ける際に、傾斜面部３２によって感知器ベース２に対する径方向の位置決めがガイドされるので、取付アダプタ３を感知器ベース２に取付ける際の位置決め作業を容易にすることができる。これによって、火災感知器１の設置作業にかかる時間を短縮し、作業者の労力、負荷の軽減を図ることができる。
【００３８】
なお、傾斜面部３２は、本実施形態では周面部３０の位置決め面３０ｂに隣接した位置から斜め上方に伸びるように形成されているが、位置決め面３０ｂあるいはその近傍位置から伸びるように形成されていればよく、いずれにしても取付アダプタ３を持ち上げることによって感知器ベース２に摺接し、取付アダプタ３を所定位置にガイドするように形成されていればよい。
【００３９】
図３に示すように、傾斜面部３２には切欠部３３と第二切欠部３４とが形成されている。切欠部３３と第二切欠部３４は、いずれも傾斜面部３２の一部が周方向に沿って切り欠かれた領域のことを指し、それぞれ両側に端面が形成される。切欠部３３は、ベース固定部４１に設けられる一方のベース固定具４４の近傍に位置し、第二切欠部３４は、切欠部３３と周方向反対側であって、ベース固定部４１に設けられる他方のベース固定具４４の近傍に位置している。
【００４０】
次に、取付アダプタ３の周方向の位置決めについて説明する。図７には、取付アダプタ３及び火災感知器１と感知器ベース２との固定前状態における部分斜視図を示している。取付アダプタ３は、感知器ベース２と所定の周方向位置にある場合以外は、取付アダプタ３の内面形状やベース固定具４４が感知器ベース２の内面形状や嵌合受け具２２に対して干渉するように形成されている。すなわち、取付アダプタ３は、感知器ベース２に対して所定の周方向位置に位置合わせされていなければ、位置決め面３０ｂが感知器ベース２の段部２０ｃに当接できないようになっている。
【００４１】
取付アダプタ３の傾斜面部３２に形成された切欠部３３の一方の端面３３ａは、取付アダプタ３が感知器ベース２に対して所定の周方向位置にあるとき、感知器ベース２の位置決めマーカー２０ｂと周方向同位置となる位置に形成されている。したがって、切欠部３３の一方の端面３３ａの周方向位置が、感知器ベース２の位置決めマーカー２０ｂの周方向位置となるように、取付アダプタ３を周方向に回転させることで、周方向所定位置への位置決めを行うことができる。特に、高所での取付に際し、切欠部３３の端面３３ａの位置は離れた場所からでも視認しやすく、位置決めの作業を容易にすることができるので、火災感知器の設置作業にかかる時間を短縮し、作業者の労力、負荷の軽減を図ることができる。
【００４２】
図８には、取付アダプタ３及び火災感知器１と感知器ベース２との固定状態における部分斜視図を示している。取付アダプタ３が径方向及び周方向に位置決めされたら、治具によって取付アダプタ３は回転され、それによって取付アダプタ３のベース固定具４４は感知器ベース２の嵌合受け具２２に対して回転嵌合され、取付アダプタ３が感知器ベース２に固定される。
【００４３】
図８に示すように、取付アダプタ３が感知器ベース２に固定された状態では、取付アダプタ３の位置決めマーカー３０ａと感知器ベース２の位置決めマーカー２０ｂとが周方向同位置となる。これにより、取付アダプタ３が感知器ベース２に固定されたことを確認することができる。
【００４４】
また、取付アダプタ３の感知器ベース２に対する回転嵌合の際、取付アダプタ３のベース固定具４４が感知器ベース２の嵌合受け具２２に対してうまく嵌合しないことがある。この場合、取付アダプタ３が感知器ベース２から浮き上がってしまうが、取付アダプタ３が周方向に沿って傾斜面部３２を有して感知器ベース２の周面部２０を覆っているため、高所において取付アダプタ３が浮き上がっているか否か、そのままでは確認するのが困難である。
【００４５】
取付アダプタ３のベース固定具４４は、ベース固定部４１において１８０度の角度をなして２箇所に設けられているので、浮き上がりはこれら２箇所の位置あるいはその近傍について、それぞれ確認する必要がある。一方のベース固定具４４近傍には切欠部３３があることにより、一方のベース固定具４４近傍について、取付アダプタ３と感知器ベース２の当接部分を視認することができる。また、他方のベース固定具４４近傍には第二切欠部３４があることにより、他方のベース固定具４４近傍について、取付アダプタ３と感知器ベース２の当接部分を視認することができる。これにより、両側のベース固定具４４について正常に回転嵌合しているか否かを、容易に確認することができる。
【００４６】
このように、傾斜面部３２の切欠部３３は、取付アダプタ３の取付時における周方向の位置決めに用いられる他、第二切欠部３４と合わせて取付アダプタ３が正常に回転嵌合したか否かの確認にも用いられる。
【００４７】
傾斜面部の変形例について説明する。図９には、変形例にかかる傾斜面部３５を有した取付アダプタ３と感知器ベース２との分解断面図を示している。本変形例の傾斜面部３５は、図８に示すように、取付アダプタ３の位置決め面３０ｂの内周側から天井面側に向かって狭まる方向に傾斜するように形成されている。
【００４８】
傾斜面部３５をこのように形成することによって、取付アダプタ３と火災感知器１とを一体化したものを感知器ベース２に取付ける際、取付アダプタ３の傾斜面部３５の上端部が、感知器ベース２の段部２０ｃによって囲まれた領域内に配置されるように大まかな位置決めをすることで、取付アダプタ３をさらに持ち上げれば、感知器ベース２の下端部が取付アダプタ３の傾斜面部３５を位置決め面３０ｂ側にガイドされるので、最終的には取付アダプタ３の位置決め面３０ｂが感知器ベース２の段部２０ｃに対して当接するように径方向に位置決めされる。
【００４９】
このように、傾斜面部の構成としては、天井面側に向かって広がる方向に傾斜させることもできるし、天井面側に向かって狭まる方向に傾斜させることもできる。ただし、傾斜面部を天井面側に向かって広がる方向に傾斜させる方が、高所における視認性をより良好にすることができる。また、本実施形態では、傾斜面部に切欠部３３や第二切欠部３４を形成しているが、取付アダプタ３と感知器ベース２の固定状態が視認できればよいので、例えばこれらに代えて、傾斜面部の一部を透明な材料で形成した視認窓を設けるようにしてもよい。
【００５０】
以上、本発明の実施形態について説明したが、本発明の適用は本実施形態には限られず、その技術的思想の範囲内において様々に適用されうるものである。取付アダプタ３の感知器固定部４０やベース固定部４１は、それぞれ取付けられる火災感知器１や感知器ベース２の固定構造に応じて適宜変更することが可能である。また、感知器固定部４０の嵌合受け具４２やベース固定部４１のベース固定具４４についても同様である。
【００５１】
また、傾斜面部３５について、取付アダプタ３の取付方向に対する傾斜角度が本実施形態では４５度であるが、それ以外の角度であってもよい。また、傾斜面部３５の高さも、径方向の位置決めが容易となる範囲で任意に設定することができる。さらには、切欠部３３や第二切欠部３４についても、幅や形状について任意に設定することができる。
【符号の説明】
【００５２】
１    火災感知器
２    感知器ベース
３    取付アダプタ
１０    基部
１１    感知部
１２    感知器固定具
２０    周面部
２１    天面部
２２    嵌合受け具
３０    周面部
３１    アダプタ部
３２    傾斜面部
３３    切欠部
３４    第二切欠部
４０    感知器固定部
４１    ベース固定部
４２    嵌合受け具
４３    係止つまみ
４４    ベース固定具
【図１】
0006359920.tif 000002
【図２】
0006359920.tif 000003
【図３】
0006359920.tif 000004
【図４】
0006359920.tif 000005
【図５】
0006359920.tif 000006
【図６】
0006359920.tif 000007
【図７】
0006359920.tif 000008
【図８】
0006359920.tif 000009
【図９】
0006359920.tif 000010